(57)【特許請求の範囲】
【請求項１】
一対の半筒状体が一側縁の蝶番部を介して開閉可能に設けられていると共に両半筒状体の相対する内面に支線をガイドする凹溝が形成された防止具本体と、一対の半割体が一側縁の蝶番部を介して開閉可能に設けられていると共に支線を挟着固定する挟着機構が内装された固定体とからなり、
防止具本体の一端部に先端が膨らんだ突出部を形成し、固定体には該突出部を外側から抱持する筒状連結部を形成することにより、該固定体に該防止具本体が回転自在に連結されるようにしたことを特徴とする電柱支線用蔓巻防止装置。
【発明の詳細な説明】
【技術分野】
【０００１】
本発明は、電柱を支持する支線に取り付けることにより、ツタ等の蔓性の植物が巻き上がるのを防止する電柱支線用蔓巻防止装置に関するものである。
【背景技術】
【０００２】
ツタ等の蔓性植物が生い茂る場所では、電柱を支持するために地上から斜めに張られた支線にその蔓性植物が巻き上がり電柱の上部まで達することがあり、これが原因で地絡事故を発生させるおそれがあった。
このように蔓性植物が支線に巻き上がるのを防止するための蔓巻防止装置が下記特許文献１、２に示されており、特許文献１に示された蔓巻防止装置は、筒状の防止具本体内に支線を挟着する爪部材を備えることにより支線に対し強い挟着力が得られるものである。また、特許文献２に示された蔓巻防止装置は、支線に取り付けられた固定体を防止具本体が包み込み、内包後に固定体と防止具本体が一体化する構造である。しかしこれらの蔓巻防止装置は、支線が通常は複数本の鋼線を螺旋状に撚り合わせた索条からなるものであったので、風によって該防止具本体に回転トルクが掛かるとその鋼線に沿って該防止具本体が回転し、ずり落ちるおそれがあった。
【０００３】
また、下記特許文献３に示された蔓巻防止装置は、支線にＵボルトを固定し、該Ｕボルトの上部に円筒状の防止具本体が支持されるように構成されたものであり、特許文献４に示された蔓巻防止装置は、板状の防止具本体を支持してなるものであり、これらの特許文献に示された構成では、防止具本体が自由に回転し得るので、防止具本体の回転トルクがＵボルト等の固定体に伝わらず、固定体が回転しないために上記のようなずり落ちが防止される。
また、下記特許文献５に示された蔓巻防止具は、防止具本体内に支線への固定体が設けられ、該固定体の外周に防止具本体が回転自在に取り付けられ、風によって該防止具本体が回転しても固定体に回転トルクが掛かることなく、ずり落ちが防止されるようにしたものである。
【先行技術文献】
【特許文献】
【０００４】
【特許文献１】実公平７−３８５８５号公報
【特許文献２】実開平３−２０６６３号公報
【特許文献３】実開昭５７−１９８２５２号公報
【特許文献４】実用新案登録第３１２３７９５号公報
【特許文献５】特開２００９−１１８７５１号公報
【発明の概要】
【発明が解決しようとする課題】
【０００５】
しかしながら、上記特許文献３、４に示された蔓巻防止具は、防止具本体が固定体から分離した別体のものであったので、防止具本体だけが強風を受けて支線に沿って上に登っていってしまい予期しない事故を起こしたり蔓巻防止機能が損なわれるおそれがあった。このことは、平地では電柱に対し張設される支線の傾斜角度が水平面に対して６０度程度に保たれるものの、図１０に示したような急な傾斜地、或いは崖のような場所では電柱ａを支持する支線ｂの傾斜角度が水平に近くなるために、固定体ｃによって防止具本体ｄが支持されていても、防止具本体ｄだけが登って行き易いという問題がある。
また、爪部材等からなる挟着機構には、支線を伝って雨水が絶えず浸入するので、金属部材で発生した錆により、爪部材の動きが損なわれたり、爪部材を覆っているゴムの劣化等により、支線を挟着する能力が損なわれた状態になることが懸念されるため、メンテナンスが容易な解決手段が求められていた。
本発明は、このような防止具本体が、強風によりずり落ちたり、舞い上がるという問題、および経年劣化によるメンテナンス上の問題、および、取付作業上の問題など全ての問題点を解決しようとするものである。
【課題を解決するための手段】
【０００６】
上記課題を達成するため本発明に係る電柱支線用蔓巻防止装置は、一対の半筒状体が一側縁の蝶番部を介して開閉可能に設けられていると共に両半筒状体の相対する内面に支線をガイドする凹溝が形成された防止具本体と、一対の半割体が一側縁の蝶番部を介して開閉可能に設けられていると共に支線を挟着固定する挟着機構が内装された固定体とからなり、該固定体に該防止具本体が回転自在に連結したことを特徴とする。
これによって、防止具本体が強風によってずり落ちたり舞い上がることがなくなる。
【０００７】
また、本発明は上記電柱支線用蔓巻防止装置において、防止具本体の一端部に先端が膨らんだ突出部を形成し、固定体には該突出部を外側から抱持する筒状連結部を形成することにより、該固定体に該防止具本体が回転自在に連結されるようにしたことを特徴とする。
これによって、固定体のメンテナンスが容易になる。
【発明の効果】
【０００９】
本発明に係る電柱支線用蔓巻防止装置によれば、防止具本体が支線に沿ってずり落ちたり舞い上がるといった問題がなくなる。また、固定体のメンテナンスを容易にする。さらには、この蔓巻防止装置の取付作業を容易にする。
【図面の簡単な説明】
【００１０】
【図１】本発明に係る電柱支線用蔓巻防止装置の防止具本体の開状態の斜視図。
【図２】本発明に係る電柱支線用蔓巻防止装置の固定体の開状態の斜視図。
【図３】本発明に係る電柱支線用蔓巻防止装置の固定体と防止具本体との連結状態を示した斜視図。
【図４】本発明に係る電柱支線用蔓巻防止装置を支線に取り付けた状態の側面図。
【図５】図４のＡ−Ａ線断面図。
【図６】図４のＢ−Ｂ線断面図。
【図７】図４のＣ−Ｃ線断面図。
【図８】図４のＤ−Ｄ線断面図。
【図９】図４のＥ−Ｅ線断面図。
【図１０】傾斜地での支線の張設状況を示す説明図。
【発明を実施するための最良の形態】
【００１１】
次に本発明に係る電柱支線用蔓巻防止装置の第１の実施形態を図１〜図９に従い説明する。防止具本体１は、図１に開状態にて示したように、耐候性を有する合成樹脂をブロー成形することにより、半筒状体１ａと半筒状体１ｂとが一側縁の肉薄状の蝶番部２を介して一体に形成される。該半筒状体１ａ，１ｂの内面３ａ，３ｂの中心線上に後述する支線をガイドするための凹溝４ａ，４ｂが形成され、また、該半筒状体１ａの蝶番部２と反対側側縁に係合部５ａが凹設され、該半筒状体１ｂの蝶番部２と反対側側縁に係合爪５ｂが突設される。また、半筒状体１ａの内面３ａの周囲に突条６ａが形成され、半筒状体１ｂの内面３ｂの周囲には該突条６ａが嵌合する凹条６ｂが形成される。７ａ，７ｂは前記凹溝４ａ，４ｂの一部に設けられたゴム等の弾性材からなる回転制動部材である。８ａは凹溝４ａの一側縁に突設されたガイド片、８ｂは該ガイド片が収まるように凹溝４ｂの一側縁に形成された凹部である。また、該半筒状体１ａ，１ｂの一端部に先端が丸く膨んだ半裁キノコ状の突出部９ａ，９ｂが一体に形成されている。
【００１２】
このため、蝶番部２を屈曲させて相対する内面３ａ，３ｂを合着し、突条６ａを凹条６ｂに嵌合し、係合爪５ａを係合部５ｂに係合することにより、該半筒状体１ａ，１ｂは円筒形の防止具本体１になる。なお、該防止具本体１の直径Ｗおよび長さＬは、蔓性植物が巻き付かない寸法（例えば、直径１８０ｍｍ、長さ１２００ｍｍ程度）にする。
【００１３】
また、固定体２０は図２に開状態にて示したように、耐候性を有する合成樹脂を射出成形することにより半円筒状の一対の半割体２０ａと半割体２０ｂとが形成され、該半割体２０ａおよび半割体２０ｂの一側縁に形成された蝶番部２１ａ，２１ｂに支軸２２を貫挿することにより、該半割体２０ａと半割体２０ｂとが開閉可能なるように連結される。該半割体２０ａ，２０ｂの内面中心線上に支線をガイドするための凹溝２３ａ，２３ｂが形成され、また、該半割体２０ａの蝶番部２１ａと反対側側縁に係合部２４ａが凹設され、該半割体２０ｂの蝶番部２１ｂと反対側側縁には係合爪２４ｂが突設される。また、図３にも示したように、該半割体２０ａおよび半割体２０ｂの一端部に前記防止具本体１の突出部９ａ，９ｂを外側から抱持し得る内径を有した筒状連結部２５ａ，２５ｂが一体に形成される。また、該半割体２０ａおよび半割体２０ｂの他端部には、スカート部２６ａ，２６ｂが一体に形成される。なお、２７は該半割体２０ａ内および半割体２０ｂ内に形成された補強用リブである。
【００１４】
３０は一方の半割体２０ａ内に設けられた挟着機構で、該挟着機構３０は、中心線の一側から起立し表面にゴム等の滑止用弾性材３１を張設した起立壁３２と、該中心線を間に挟むように該起立壁３２の反対側にボルト３３によって回転可能に軸支されたカム形の爪部材３４とからなり、該爪部材３４の表面にもゴム等の滑止用弾性材３５を張設すると共に、該爪部材３４を図９に示した矢印の方向に付勢し、該爪部材３４を起立壁３２の表面に圧接させる巻きバネ（図示されず）を該爪部材３４内に設けている。３７は該爪部材３４の一側面に突設された指掛用の摘子部である。
【００１５】
この蔓巻防止装置は、前記突出部９ａ，９ｂが傾斜下側となるように凹溝４ａ，４ｂに支線４０を合致させ、係合爪５ｂを係合部５ａに係合することにより、防止具本体１を該支線４０の周囲に取り付ける。なお、このとき、突条６ａが凹条６ｂに嵌合することにより半筒状体１ａと半筒状体１ｂとが隙間なく閉じられる。また、ガイド片８ａが支線４０に当接することにより支線４０のズレが防止される。また、半筒状体１ａと半筒状体１ｂとを閉じたとき、回転制動部材７ａ，７ｂが支線４０の外周に接することにより、強風時によって防止具本体１が回転するのがある程度抑制されるようにしている。
【００１６】
こうして防止具本体１を支線４０に取り付けた後、爪部材３４の摘子部３７に指を掛けて該爪部材３４が起立壁３２の表面から離間するように回転させ、該起立壁３２と該爪部材３４との間隔に支線４０を通して摘子部３７から指を離すことにより前記巻きバネの弾性により該爪部材３４を該支線４０に圧接させ、該起立壁３２と該爪部材３４とで支線４０を挟着する。そのとき筒状連結部２５ａが前記防止具本体１の突出部９ａ，９ｂの外周に被るようにすると共に凹溝２３ａ，２３ｂに支線４０を合致させる。なお、爪部材３４はカム形に形成されていて矢印の方向に回転すればするほど該爪部材３４の外周と起立壁３２との間隔が狭くなるので、支線４０が強固に狭着され、固定体２０がずり落ちるのが防がれる。そして、筒状連結部２５ｂを突出部９ａ，９ｂの外周に被せると共に、係合爪２４ｂを係合部２４ａに係合し、半割体２０ａ，２０ｂを合着させる。これによって突出部９ａ，９ｂが筒状連結部２５ａ，２５ｂによって外側から抱持され、固定体２０と防止具本体１とが回転自在に連結される。
【００１７】
また、図８に示されるように、係合部２４ａの外側に空隙２８が形成され、指もしくはドライバーなどの工具で係合爪２４ｂを弾性限度内にて湾曲させることで、係合爪２４ｂと係合部２４ａとはこのように一旦は係合させてもこの係合を解除（リリース）できるようにしている。
【００１８】
このように支線４０に取り付けられた蔓巻防止装置では、固定体２０が支線４０にしっかりと固定され、防止具本体１が強風を受けて回転してもその回転トルクが該固定体２０に伝わらないので固定体２０が回転してずり落ちるようなことがない。また、強風によって防止具本体１に浮力が掛かっても、該防止具本体１は突出部９ａ，９ｂによって固定体２０と連結されているので、該防止具本体１だけが支線４０に沿って上昇するようなこともなく、防止具本体１が常に適切な高さに保持され、支線４０を蔓性植物が巻き上がるのを防止することができる。
【００１９】
また、所要メンテナンス時には、上記したように係合爪２４ｂと係合部２４ａとの係合を解除して半割体２０ａ，２０ｂを開くことで、該固定体２０内の挟着機構３０を容易に点検することができる。即ち、該固定体２０の筒状連結部２５ａ，２５ｂは突出部９ａ，９ｂを外側から抱持しているので、いちいち防止具本体１を開かなくても該防止具本体１を閉じたままの状態で固定体２０だけを開いて内部の挟着機構３０を簡単に点検し、必要に応じて修理、或いは部品交換をすることができる。このためメンテナンス作業が著しく容易になる。なお、挟着機構３０は、摘子部３７に指を掛けて爪部材３４を回転させるだけで支線４０に簡単に取り付けられると共に、取り外す際にも摘子部３７に指を掛けて爪部材３４を回転させるだけで簡単にその挟着状態を解除でき、取り付け取り外しが容易であるので、いっそうメンテナンスが容易になる。
【符号の説明】
【００２２】
１                防止具本体
１ａ，１ｂ        半筒状体
２                蝶番部
３ａ，３ｂ        内面
４ａ，４ｂ        凹溝
５ａ              係合部
５ｂ              係合爪
９ａ，９ｂ        突出部
２０              固定体
２０ａ，２０ｂ    半割体
２１ａ，２１ｂ    蝶番部
２３ａ，２３ｂ    凹溝
２４ａ            係合部
２４ｂ            係合爪
２５ａ，２５ｂ    筒状連結部
３０              挟着機構
３２              起立壁
３４              爪部材
４０              支線
【図１】
0005709078.tif 000002
【図２】
0005709078.tif 000003
【図３】
0005709078.tif 000004
【図４】
0005709078.tif 000005
【図５】
0005709078.tif 000006
【図６】
0005709078.tif 000007
【図７】
0005709078.tif 000008
【図８】
0005709078.tif 000009
【図９】
0005709078.tif 000010
【図１０】
0005709078.tif 000011